(57)【要約】【課題】高温でも接着力、剥離性及び形態安定性に優れると共に、表面粗度が扁平で、粘着剤が残存しないだけでなく、表面の汚染時その洗浄が容易である。従って、本発明は可撓性印刷配線板（ＦＰＣ）を全面的に付着することができると共に、可撓性印刷配線板（ＦＰＣ）を容易に反復的に脱付着することができ、且つ反復使用が可能となって、使用寿命が延びる可撓性印刷配線板（ＦＰＣ）実装用キャリアテープを提供することである。【解決手段】フッ素系樹脂の含浸されているガラス繊維織物、炭素繊維織物及び芳香族ポリアミド繊維織物からなる群より選択された少なくとも１種の織物（１）、前記織物（１）の片面にコーティングされている複合シリコンゴムのコーティング層（２）及び前記織物の他面にコーティングされている耐熱性シリコン粘着剤のコーティング層（３）とから構成されることを特徴とする可撓性印刷配線板（ＦＰＣ）実装用キャリアテープ。【選択図】図 1
2006344923.tif 000002
【特許請求の範囲】
【請求項１】
フッ素系樹脂の含浸されたガラス繊維織物、炭素繊維織物及び芳香族ポリアミド繊維織物とからなる群より選択された少なくとも１種の織物（１）と、前記織物（１）の 片面にコーティングされた複合シリコンゴムのコーティング層（２）と、前記織物（１）の他面にコーティングされた耐熱性シリコン粘着剤のコーティング層（３）とから構成されることを特徴とする可撓性印刷配線板（ＦＰＣ）実装用キャリアテープ。
【請求項２】
前記フッ素系樹脂がポリテトラフルオロエチレン（ＰＴＦＥ）樹脂であることを特徴とする請求項１記載の可撓性印刷配線板（ＦＰＣ）実装用キャリアテープ。
【請求項３】
前記複合シリコンゴムが、ポリシロキサン系のシリコンポリマーに硬化剤と充填剤を添加してから、この混合物を触媒下で加熱及び硬化させて製造されることを特徴とする請求項１記載の可撓性印刷配線板（ＦＰＣ）実装用キャリアテープ。
【請求項４】
前記複合シリコンゴムの硬度が５〜６０ショア（Ｓｈｏｒｅ）であることを特徴とする請求項１記載の可撓性印刷配線板（ＦＰＣ）実装用キャリアテープ。
【請求項５】
前記耐熱性シリコン粘着剤が２５０℃以上でも粘着物性をそのまま維持することを特徴とする請求項１記載の可撓性印刷配線板（ＦＰＣ）実装用キャリアテープ。
【請求項６】
前記耐熱性シリコン粘着剤のコーティング層（２）の表面がエッチング処理またはプラズマ処理されていることを特徴とする請求項１記載の可撓性印刷配線板（ＦＰＣ）実装用キャリアテープ。
【請求項７】
前記複合シリコンゴムのコーティング層（２）及び耐熱性シリコン粘着剤のコーティング層（３）が保護用フィルム（４）によって覆われていることを特徴とする請求項１記載の可撓性印刷配線板（ＦＰＣ）実装用キャリアテープ。
【請求項８】
前記保護用フィルム（４）がポリエステルフィルムであることを特徴とする請求項７記載の可撓性印刷配線板（ＦＰＣ）実装用キャリアテープ。
【発明の詳細な説明】
【技術分野】
【０００１】
本発明は可撓性印刷配線板（Ｆｌｅｘｉｂｌｅ  Ｐｒｉｎｔｅｄ  Ｃｉｒｃｕｉｔｓ、以下 “ＦＰＣ”とする)実装用キャリアテープに関するものであって、より具体的には高温でも形態安定性、剥離性及び接着力に優れると共に、表面が扁平で、粘着剤が残存しなくて、表面の汚染時洗浄しやすいＦＰＣ実装用キャリアテープに関するものである。
【０００２】
ＦＰＣ実装用キャリアテープは、ＦＰＣ上にダイオードなどの半導体素子を実装するＳＭＴ(Ｓｕｒｆａｃｅ  Ｍｏｕｎｔｉｎｇ  Ｔｅｃｈｎｏｌｏｇｙ)工程やＦＰＣ上に実装された半導体素子を鉛にて熔接する半田付け(Ｓｏｌｄｅｒｉｎｇ)工程などにおいて、ガラス繊維板または金属板であるキャリアプレート(Ｃａｒｒｉｅｒ  Ｐｌａｔｅ)上にＦＰＣを臨時に固定、定着するために、上記のキャリアプレートの上に設置して使う。
【０００３】
従って、ＦＰＣ実装用キャリアテープは、ＦＰＣの全面を反復的に付着及び固定できなければならないと共に、臨時固定されたＦＰＣを容易に脱着できなければならない。
【背景技術】
【０００４】
今まではＦＰＣ実装用キャリアテープとして、主にポリイミドテープを使用してきた。しかしながら、この場合、反復使用が不可能であるため、作業時毎度キャリアプレートの上にポリイミドテープを付着及び除去しなければならないので、工程が複雑となり、製造費用も上昇することになる問題点があった。
【０００５】
また、ポリイミドテープを使用する場合、粘着剤の残存によってＦＰＣが汚染されて、ＦＰＣの全面を扁平に固定することができないため、印刷の精密度が落ちる問題も発生した。
【０００６】
一方、前記のような問題点を解決するために、シリコン樹脂などの粘着性樹脂をキャリアプレートの上に塗布して使用する方法も提案されている。しかしながら、この方法は、寸法安定性が低くいので、ＦＰＣの付着時折れるか屈曲などが発生し、粘着性樹脂の塗布厚さの偏差によって、ＦＰＣの固定性が低下され、耐熱性が低くて、工程中に塗布層が剥離されるか塗布層に折り目が発生する等の問題点があった。
【０００７】
また、他の従来のＦＰＣ実装用キャリアテープとしては、ポリエステル織物の上に網糸（ｍｅｓｈ）をラミネーティングしてから、その上に粘着剤を塗布して製造したキャリアテープも提案されているが、この場合は、寸法安定性が低いだけでなく、厚さが不均一であるとの問題点などがあった。
【０００８】
従って、本発明の目的は、上記のような従来の問題点を解決することにより、反復使用が可能となり、ＦＰＣを全面的に付着することができ、ＦＰＣの脱付着が容易で、粘着剤が残存しなくて、表面の汚染時洗浄することが容易なＦＰＣ実装用キャリアテープを提供しようとする。
【発明の開示】
【発明が解決しようとする課題】
【０００９】
本発明は、寸法安定性に優れるだけでなく、表面粗度（Ｓｕｒｆａｃｅ  ｒｏｕｇｈｎｅｓｓ）が扁平であるので、薄膜のＦＰＣを全面的に付着することができるＦＰＣ実装用キャリアテープを提供しようとする。
【００１０】
また、本発明は耐熱性、形態安定性、接着力及び剥離性に優れて、ＦＰＣを容易で反復的に脱付着することができ、反復使用が可能となって、使用寿命が延びるＦＰＣ実装用キャリアテープを提供しようとする。
【課題を解決するための手段】
【００１１】
このような課題を達成するための本発明によるＦＰＣ実装用キャリアテープは、 フッ素系樹脂の含浸されたガラス繊維織物、炭素繊維織物及び芳香族ポリアミド繊維織物からなる群より選択された少なくとも１種の織物（１）と、前記織物（１）の片面にコーティングされた複合シリコンゴムのコーティング層（２）と、前記織物の他面にコーティングされた耐熱性シリコン粘着剤のコーティング層（３）とから構成されることを特徴とする。
【発明の効果】
【００１２】
本発明によるキャリアテープは、耐熱性及び形態安定性に優れたフッ素系樹脂の含浸された前記織物（１）を含むので、２６０℃水準の高温でも収縮、膨脹及び変形が発生しなくて、反復使用することができる。
【００１３】
また、本発明によるキャリアテープは、そのキャリアプレート（Ｂ）と接着する耐熱性シリコン粘着剤のコーティング層（３）の耐熱性に優れるので、脱着時粘着剤が残存しない。
【００１４】
さらに、本発明によるキャリアテープは、ＦＰＣの接着及び脱着される部分が複合シリコンゴムのコーティング層（２）となっているので、ＦＰＣを２６０℃で５００回以上反復して付着及び脱着することができ、表面が扁平であるので、ＦＰＣを全面的に付着することができ、表面汚染時エタノール等によって簡単に洗浄することができる。
【００１５】
本発明によるキャリアテープは、高温でも形態安定性に優れて、表面粗度が扁平であるので、薄膜のＦＰＣを全面的に付着することができる。
【００１６】
さらに、本発明によるキャリアテープは、耐熱性、形態安定性、接着力及び剥離性などが優れて、ＦＰＣを反復的に脱着及び付着することができるだけでなく、反復使用が可能となって、使用寿命が長くなる。
【発明を実施するための最良の形態】
【００１７】
以下、添付した図面を参照して本発明を詳細に説明する。
【００１８】
本発明は、第１図のように、フッ素系樹脂の含浸されたガラス繊維織物、炭素繊維織物及び芳香族ポリアミド繊維織物からなる群より選択された少なくとも１種の織物(以下、“織物”と略称する）の片面には複合シリコンゴムのコーティング層（２）が形成され、その他面には耐熱性シリコン粘着剤のコーティング層（３）が形成されている断面構造を有している。
【００１９】
第１図は本発明の断面図である。
【００２０】
より具体的に、本発明によるキャリアテープは、フッ素系樹脂の含浸された前記織物（１）の両面において、その片面には複合シリコンゴムがコーティングされ、他面には耐熱性シリコン粘着剤がコーディングされた構造である。
【００２１】
前記フッ素系樹脂としては、ポリテトラフルオロエチレン（ＰＴＦＥ）樹脂などがある。
【００２２】
前記複合シリコンゴムは、ポリシロキサン系のシリコンポリマーに硬化剤とシリカなどの充填剤を添加した後、この混合物を触媒下で加熱、硬化させることにより製造したものであって、その硬度は５〜６０ショア（Ｓｈｏｒｅ）であるものが好ましい。
【００２３】
一方、前記耐熱性シリコン粘着剤は、２５０℃以上でも粘着物性をそのまま維持する十分な耐熱性を有する。
【００２４】
前記耐熱性シリコン粘着剤のコーティング層（２）の表面をエッチング処理またはプラズマ処理することが、キャリアプレート（Ｂ）との接着性を改善させるという側面でより好ましい。
【００２５】
また、本発明のキャリアテープは、第２図のように、上記の複合シリコンゴムのコーティング層（２）と耐熱性シリコン粘着剤のコーティング層（３）とが保護用フィルム（４）によって覆われている構造も含む。
【００２６】
第２図は保護用フィルム（４）を含む本発明によるキャリアテープの断面図である。
【００２７】
前記保護用フィルム（４）は、その使用前は前記コーティング層（２、３）などを保護する役割をし、使用時には前記コーティング層（２、３）などから分離される。
【００２８】
本発明によるキャリアテープは、ＳＭＴ工程などに使用する場合、第３図に示したように、耐熱性シリコン粘着剤のコーティング層（３）はキャリアプレート（Ｂ）と接着するようになり、複合シリコンゴムのコーティング層（３）にはＦＰＣ（Ａ）が付着及び脱着するようになる。
【００２９】
第３図は、本発明のＳＭＴ工程に使われる状態を示す断面図である。
【産業上の利用可能性】
【００３０】
本発明によるキャリアテープは、ＦＰＣの上にダイオードなどの半導体素子を実装するＳＭＴ工程などで、ガラス繊維板または金属板のキャリアプレートの上にＦＰＣを臨時に固定、定着するために、上記のキャリアプレートの上に設置して使うことができる。
【００３１】
また、本発明によるキャリアテープは、ダイオードなどの半導体素子を実装する工程において、ガラス繊維板または金属板のキャリアプレートの上に臨時に硬性（ｒｉｇｉｄ）の印刷配線板を固定、定着するために、上記のキャリアプレートの上に設置して使うことができる
【００３２】
また、本発明によるキャリアテープは、半導体素子を実装する工程においてキャリアプレートの上にフリップチップ（ｆｌｉｐ  ｃｈｉｐ）を臨時に固定、定着するか、又は製造工程において有機発光デバイス（Ｏｒｇａｎｉｃ  Ｌｉｇｈｔ  Ｅｍｉｔｔｉｎｇ  Ｄｅｖｉｃｅ、ＯＥＣＤ）及び液晶パネル（Ｌｉｑｕｉｄ  Ｃｒｙｓｔａｌ  Ｐａｎｅｌ）などのフラットディスプレイ材（ｆｌａｔ  ｄｉｓｐｌａｙ  ｍｅｔｅｒｉａｌｓ）を臨時に固定、定着するために、キャリアプレートの上に設置して使うことができる。
【図面の簡単な説明】
【００３３】
【図１】本発明による可撓性印刷配線板（ＦＰＣ）実装用キャリアテープの断面図である。
【図２】本発明によるその他の可撓性印刷配線板（ＦＰＣ）実装用キャリアテープの断面図である。
【図３】本発明による可撓性印刷配線板（ＦＰＣ）実装用キャリアテープの使用状態を示す断面図である。＜符号の説明＞
【００３４】
１：フッ素系樹脂の含浸されたガラス繊維織物、炭素繊維織物または芳香
族ポリアミド繊維織物
２：複合シリコンゴムのコーティング層
３：耐熱性シリコン粘着剤のコーティング層
４：保護用フィルム
Ａ：本発明によるキャリアテープ
Ｂ：キャリアプレート
Ｃ：可撓性印刷配線板（ＦＰＣ）
【図１】
2006344923.tif 000003
【図２】
2006344923.tif 000004
【図３】
2006344923.tif 000005